(57)【要約】      （修正有）【課題】発光機能を有する剣を提供する。【解決手段】剛性を有する中空透明体内に発光体２１を位置させ、該発光体に通電するための電池と制御回路および触針を有する全方位スイッチ２２を該透明体内に設け、該触針を中空透明体端より突出させることにより、他体に剣先が押圧接触することによる触針の角度変化にて発光体を所定時間発光させるよう構成する。【選択図】図２
0003151105.tif 000002
【実用新案登録請求の範囲】
【請求項１】
剛性を有する中空透明体内に発光体を位置させ、該発光体に通電するための電池と制御回路および触針を有する全方位スイッチを該透明体内に具備するとともに、該触診を中空透明体端より突出させることにより、他体に剣先が押圧接触することによる触針の角度変化にて発光体を所定時間発光させるよう構成したことを特徴とする発光剣。
【請求項２】
中空透明体適所に鍔を設けてなる請求項１記載の発光剣。
【請求項３】
中空透明体と触針を、適度の柔軟性と弾力性を有する透明体にて覆ってなる請求項１又は２記載の発光剣。
【考案の詳細な説明】
【技術分野】
【０００１】  この考案は、発光機能を有する剣に関する。
【背景技術】
【０００２】  従来より、種々の素材にて作られた剣はあるが、本案に示すように、剣自体に発光機能を設けたものは見あたらない。
【考案の開示】
【考案が解決しようとする課題】
【０００３】  剣はスポーツ競技や遊びの中に取り入れられ、多種多様なものが存在する。
日本古来の剣術、剣道、フェンシングそして幼い頃遊んだチャンバラ等があり、それぞれ目的によって剣の材質や形状・構成が異なる。この中で発光機能を有するのは競技としてのフェンシングである。このフェンシングでは競技者は専用の衣服を着用するとともに、床面上に設置される発光機能を有する構成体に結線接続され、剣先が相手の身体を突くことにてこの構成体が発光して技のポイントを認識できるよう構成されている。
フェンシングの剣は細身であるとともにその動きが速く、肉眼視では有効技の判定が困難なためにこのように構成されている。一方、遊びとしてのチャンバラは木や竹などの棒体を剣の代わりとして打ち合うものであるが、有効打の判定は当人にしかわからず、その判断が難しい場合がある。
本案は、以上のような従来からの剣および剣の代用物に関わる課題を解決するために考案されたもので、剣の内部に発光機能を付加することにて、有効技の判定を容易にするとともに、視覚的変化にてより趣のある遊びや競技を行うことのできる、新規かつ有用なる用具を提供することを目的としたものである。
【課題を解決するための手段】
【０００４】  課題を解決する手段として本案は以下の構成とした。
すなわち、剛性を有する中空透明体内に発光体を位置させ、該発光体に通電するための電池と制御回路および触針を有する全方位スイッチを該透明体内に具備するとともに、該触診を中空透明体端より突出させることにより、他体に剣先が押圧接触することによる触針の角度変化にて発光体を所定時間発光させるよう構成する。本案は以上の構成よりなる発光剣である。
【考案の効果】
【０００５】  本案によれば、競技者や遊ぶ人の双方が本案品を手に持って戦う場合において、一方の使用者の剣先が相手の体に触れることにてカバーが歪んで触針角度が変化し、これにて全方位スイッチがＯＮとなって発光体に通電されて発光するとともに、制御回路にてその発光持続時間を制御することができて、どちらが先に斬りつけたかの判定を容易とし、かつ発光による視覚的なおもしろさを有する有用なる用具を得ることができる。また、軟質カバーを併用することにて身体的損傷を防止することができ、とりわけ薄暮時にても遊ぶことのできる剣を提供することができる。
【考案を実施するための最良の形態】
【０００６】  以下、本考案の実施形態について説明する。
図において、１は鍔で、略円板状の強化合成樹脂製板体で、その一方の面中央には環状凹部２が、反対面中央には環状凸部３が各々一体に形成される。また、該鍔の中央には貫通孔が穿設される。４は筒状の不透明合成樹脂による握り柄で、その一端は前記環状凸部に嵌合し、他端には雄ねじが刻設される。５はキャップで、有底の筒体であり、その内周に雌ねじが刻設され、握り柄の雄ねじに螺着される。６は発泡合成樹脂によるクッション体で、握り柄に固着覆設される。なお、握り柄およびクッション体端の近傍外周には孔が四等配に穿設され、この孔と対応する環状凸部面には雌ねじが刻設され、止めビス７にて各部材が固定される。
１０は筒状透明合成樹脂による本体で、その一端は前記環状凹部に嵌入固着される。
１１は柔軟性と弾力性を有する透明合成樹脂による略筒状のカバーで、本体に抜き差し可能に覆設される。このカバーの一端近傍外周には四等配に孔が穿設され、この孔に対応する本体位置には雌ねじが刻設され、止めビス１２にて各部材は固定される。また、カバーの他端は略円錐形に形成され、この円錐状部分は本体より突出している。
２０は基板である。この基板は適宜厚の合成樹脂製平板で、本体の上下内面に形成される溝部に挿入されて位置し、その両側面には発光ダイオードによる複数個の発光体２１が取り付けられる。なお、この基板適所に雌ねじが刻設され、前記止めビス１２が螺着する。
２２は市販の全方位スイッチで、基板端近傍側面に取り付けられる。この全方位スイッチには触針２３が突設され、この触針の中程まではコイルバネ２４が位置している。
これにより、触針端に外圧が加わることにて触針は斜方に変形し、スイッチが投入される。基板の他端には円柱状金属棒による接続プラグ２５が突設される。２６は握り柄内に適宜支持部材にて位置固定されるコネクターで、前記の接続プラグが挿入可能である。
２７は各種他製品に多用されているタイマー機能を有する制御回路、２８は電池である。
制御回路および電池はクッション製を有する適宜支持部材にて握り柄内に位置保持される。なお、以上の各電気的部品は図３に示すように結線接続される。【０００７】  本案の使用に際しては、戦う者が本案による剣を持って打ち合う。剣先が相手の体に当たると、カバー先端は変形し、このカバー先端部内面に近接して位置する触針に力が加わり、触針は図７のごとく斜方に変形して全方位スイッチが投入される。これにて発光体への通電がなされて発光する。このスイッチは全方位であるので、どの方向に触針が変形してもスイッチの投入がなされる。カバーおよび本体は透明体であるので、外部からこの発光が認識されてどちらの斬りつけなのかがわかり、有効技を容易に判定することができる。
なお、瞬間発光ではこのような認識が難しいので、本案では制御回路を設けてスイッチ投入から所定時間発光が持続するよう構成した。
既述の例では、鍔に対して握り柄とカバーおよび本体を着脱可能にし、また握り柄端にはキャップを設けたので、各部品の交換を容易に行うことができる。また、本体外面を柔軟性と弾力性を有するカバーにて覆う構成としており、使用者の肉体的損傷を防止することができ、カバー先端への押圧解除にてカバーは元の形状に復帰するので、連続的に使用することができる。また、本体の先端近傍に触針が突出しているので、切り結ぶとき、つまり剣の中程が打ち合っても発光することはない。なお、既述の例では本体および握り柄を円形断面にて形成したが、図５のように楕円形とすればより剣の風情を高めることができる。握り柄にはクッション体を覆設したので、手との摩擦を大として使用時に手から剣が離脱することを防止できる。また、カバーおよび本体そして基板は、止めビスにて固定されるので、同様に使用中の離脱を防止できる。
発光体は、並列接続にて適宜に結線されるが、この発光体の交換は、止めビスを外すことにてカバーを抜き取り、基板を本体内の溝に沿って抜き出すことにてなされる。
なお、電池と制御回路を、クッション性を有する支持部材にて握り柄内に位置保持することにて、使用中の衝撃伝達を緩和することができる。発光体として本例では、発光ダイオードを用いたが、ＥＬなど他の物品を用いてもよく、同色のみならず種々の色の発光体を用い、あるいは混在させることにて、より趣のある発光とすることができる。なお、既述の例は実施の一例であり、近似の他の構成としてもよい。
以上のごとく、本案によって有効技の判定を容易にするとともに、従来にはなかった趣のある発光を有する剣を得ることができる。
【図面の簡単な説明】
【０００８】
【図１】  本考案の正面図
【図２】  本考案の内部構造説明図（結線表現略）
【図３】  本考案に用いる電気部品結線図
【図４】  本考案の拡大右側面図（一部略）
【図５】  本考案の変化例における右側面図（一部略）
【図６】  本考案の要部拡大構造説明図
【図７】  本考案の機能説明図
【符号の説明】
【０００９】１    鍔
２    環状凹部
３    環状凸部
４    握り柄
５    キャップ
６    クッション体
１０  本体
１１  カバー
１２  止めビス
２０  基板
２１  発光体
２２  全方位スイッチ
２３  触針
２４  コイルバネ
２５  接続プラグ
２６  コネクター
２７  制御回路
２８  電池
【図１】
0003151105.tif 000003
【図２】
0003151105.tif 000004
【図３】
0003151105.tif 000005
【図４】
0003151105.tif 000006
【図５】
0003151105.tif 000007
【図６】
0003151105.tif 000008
【図７】
0003151105.tif 000009